(57)【要約】【課題】雄端子を雌端子に小さな力で挿入可能なコネクタを提供する。【解決手段】雄端子２０を具備する雄コネクタ１０と、雄端子２０を挿入可能な雌端子６０を具備する雌コネクタ５０と、を備えるコネクタＣ１において、雄端子２０は、雌端子６０に挿入されるタブ片２１を有し、雌端子６０は、第一接触片６１と第二接触片６３と係止片７０とを有する。第一接触片６１は弾性変形可能に形成されており、係止片７０は、タブ片２１が所定の接触位置に至る前の初期状態において第一接触片６１を第二接触片６３から離隔するように弾性変形させつつ係止する。また、雄コネクタ１０には、タブ片２１が接触位置に至ったときに係止片７０を押圧して第一接触片６１の係止を解除し、第一接触片６１および第二接触片６３をタブ片２１に接触させる押圧片３０が設けられている。【選択図】図２
2017112023.tif 000002
【特許請求の範囲】
【請求項１】
雄端子を具備する雄コネクタと、前記雄端子を挿入可能な雌端子を具備する雌コネクタと、を備えるコネクタであって、
前記雄端子は、前記雌端子に挿入されるタブ片を有し、
前記雌端子は、前記タブ片と接触可能で少なくとも１つが弾性変形可能な弾性接触片とされる２つの接触片と、初期状態において前記弾性接触片を他の接触片から離隔するように弾性変形させつつ係止する係止片と、を有し、
前記雄コネクタには、前記タブ片が接触位置に至ったときに前記係止片を押圧することで前記弾性接触片の係止を解除する押圧片が設けられて、
前記タブ片が前記接触位置に至った状態において、前記２つの接触片が前記タブ片に接触するコネクタ。
【請求項２】
前記弾性接触片は、前記初期状態において、前記他の接触片との間に前記タブ片の厚み寸法よりも大きな間隔を空けつつ係止される請求項１に記載のコネクタ。
【請求項３】
前記係止片には、前記弾性接触片を係止する係止部と、前記押圧片によって押圧されることで前記係止部を変位させて前記弾性接触片の係止を解除する解除部と、が形成されている請求項１または請求項２に記載のコネクタ。
【請求項４】
前記２つの接触片は、一方のみが前記弾性接触片とされている請求項１ないし請求項３の何れか一項に記載のコネクタ。
【請求項５】
前記２つの接触片は、双方が前記弾性接触片とされている請求項１ないし請求項４の何れか一項に記載のコネクタ。
【請求項６】
前記弾性接触片には、前記タブ片と接触する側に突出する可動接点部が形成され、
前記タブ片には、前記タブ片が前記接触位置に至った状態において前記可動接点部に対応する位置に凹部が形成されている請求項１ないし請求項５の何れか一項に記載のコネクタ。
【請求項７】
前記雄コネクタは、前記雄端子を保持する雄コネクタハウジングを備えており、前記押圧片は前記雄コネクタハウジングに設けられている請求項１ないし請求項６の何れか一項に記載のコネクタ。
【請求項８】
前記雄コネクタは、前記雌端子側から取り付けられて前記雄端子を固定するリテーナを備えており、前記押圧片は前記リテーナに設けられている請求項１ないし請求項７のいずれか一項に記載のコネクタ。
【発明の詳細な説明】
【技術分野】
【０００１】
本明細書に開示する技術は、コネクタに関する。
【背景技術】
【０００２】
自動車用のワイヤーハーネス等において使用されるコネクタは、雌端子と雄端子との接続安定性を維持するために、雌端子の弾性接触片が雄端子に所定の接触圧を有して接触するように設計されている。従来、雄端子は雌端子の弾性接触片を押し広げるように挿入される構造であったため、コネクタ嵌合時には、雄端子に弾性接触片との摩擦による挿入抵抗が作用し、多極コネクタではその挿入抵抗に起因して嵌合操作が困難になることが懸念されていた。
【０００３】
そこで、例えば下記特許文献１には、雄端子を挿入する際に弾性接触片を押し下げておくことで、小さな操作力で雄端子を挿入できるコネクタが記載されている。このコネクタでは、雌端子の弾性接触片が後端部において連結片で連結され、この連結片の中央に被押圧部が設けられている。一方、雌端子の挿入方向と直交する側方からコネクタハウジング内に挿入されるスペーサには、雌端子の被押圧部を押圧する押圧部が設けられている。そして、スペーサがコネクタハウジング内に挿入されることで、押圧部が被押圧部に面接触し、弾性接触片が押し下げられる。雄端子は、この状態で雌端子内に挿入されるため、弾性接触片とほとんど接触することなく小さな操作力で挿入することができる。そして、雄端子が完全に挿入された後にスペーサを移動することで、押圧部による被押圧部への押圧が解除され、弾性接触片が弾性復元して雄端子に接触し、雌端子と雄端子の間の接触圧を確保することができる。
【先行技術文献】
【特許文献】
【０００４】
【特許文献１】特開２００２−８７９７号公報
【発明の概要】
【発明が解決しようとする課題】
【０００５】
しかしながら、上記特許文献１のようなコネクタでは、スペーサや連結片などの部品点数が増え、また作業工数も増加する。
【０００６】
本明細書に開示する技術は、上記事情に基づいて完成されたものであって、雄端子を雌端子に小さな力で挿入可能な、簡易な構成のコネクタを提供することを目的とする。
【課題を解決するための手段】
【０００７】
本明細書が開示するコネクタは、雄端子を具備する雄コネクタと、前記雄端子を挿入可能な雌端子を具備する雌コネクタと、を備えるコネクタであって、前記雄端子は、前記雌端子に挿入されるタブ片を有し、前記雌端子は、前記タブ片と接触可能で少なくとも１つが弾性変形可能な弾性接触片とされる２つの接触片と、初期状態において前記弾性接触片を他の接触片から離隔するように弾性変形させつつ係止する係止片と、を有し、前記雄コネクタには、前記タブ片が前記接触位置に至ったときに前記係止片を押圧することで前記弾性接触片の係止を解除する押圧片が設けられて、前記タブ片が前記接触位置に至った状態において、前記２つの接触片が前記タブ片に接触する。
【０００８】
上記構成によれば、雌端子の２つの接触片のうちの少なくとも１つが係止片に係止されて接触片同士の間隔が広げられた状態（初期状態）で、タブ片の挿入を行うことができるため、雄端子を挿入する際の操作力を小さくすることができる。タブ片が挿入されて所定の接触位置に至ると、弾性接触片の係止が解除されて弾性復元することにより、雄端子のタブ片と雌端子の接触片とを所定の接触圧で接触させることができる。換言すれば、本明細書において接触位置とは、係止片と弾性変形片との係止が解除されて、雌端子の接触片が雄端子のタブ片に接触する位置をいい、初期状態とは、前記タブ片が挿入されて接触位置に至る前の状態をいう。接触位置は、タブ片、接触片、係止片、押圧片等の寸法形状を変えることで、任意の位置に調整することができる。
また、上記構成によれば、弾性接触片と係止片との係止解除動作は、雌端子と電気的に接続されるタブ片ではなく押圧片によって行われるため、解除動作によるタブ片の変形等が抑制され、接続不良の発生等を抑えることができる。
【０００９】
本明細書が開示するコネクタにおいて、前記弾性接触片は、前記初期状態において、前記他の接触片との間に前記タブ片の厚み寸法よりも大きな間隔を空けつつ係止されてもよい。
【００１０】
上記構成によれば、雄端子の挿入時に、２つの接触片にほとんど接触させることなく、これらの間にタブ片を挿入することが可能となり、雄端子を挿入する際の操作力を極めて小さくすることができる。
【００１１】
また、本明細書が開示するコネクタにおいて、前記係止片には、前記弾性接触片を係止する係止部と、前記押圧片によって押圧されることで前記係止部を変位させて前記弾性接触片の係止を解除する解除部と、が形成されていてもよい。
【００１２】
上記構成によれば、弾性接触片と係止片との係止を確実に解除することができる。ここで、押圧片は、係止片において弾性接触片を係止している係止部ではなく、解除部を押圧する構成としたため、雄端子と電気的に接触される弾性接触片が押圧片と干渉する事態が低減され、解除動作による弾性接触片の変形等が抑制されて、接続不良の発生等を抑えることができる。
【００１３】
また、本明細書が開示するコネクタにおいて、前記２つの接触片のうち、一方のみが前記弾性接触片とされていてもよい。
【００１４】
上記構成によれば、他方の固定接触片として従来の構造を利用できるため、簡易な構成により、雄端子を挿入する際の操作力の小さなコネクタを得ることができる。例えば、筒型等に形成された部分を備える従来の雌端子において、その側壁部の一部を、弾性接触片に対向する他の接触片としてもよい。
【００１５】
また、本明細書が開示するコネクタにおいて、２つの前記接触片は、双方が弾性変形可能な前記弾性接触片とされていてもよい。
【００１６】
上記構成によれば、雄端子が挿入された後に、２つの接触片の双方が弾性復元して弾性的にタブ片に接触するため、より大きな接触圧で雄端子と雌端子とを接触させることができ、さらに接続安定性に優れたコネクタを得ることができる。
【００１７】
また、本明細書が開示するコネクタにおいて、前記弾性接触片には、前記タブ片と接触する側に突出する可動接点部が形成され、前記タブ片には、前記タブ片が前記接触位置に至った状態において前記可動接点部に対応する位置に凹部が形成されており、前記弾性接触片の前記可動接点部は、前記タブ片が前記接触位置に至った状態において、前記凹部内で前記タブ片と接触するように構成されていてもよい。
【００１８】
上記構成によれば、弾性接触片の係止が解除されると、弾性接触片の弾性復元に伴って可動接点部が変位し、タブ片に接触する。この際、可動接点部は凹部内に嵌り込んだ形でタブ片に接触するために位置ずれ等が防止され、接続安定性に優れたコネクタを得ることができる。
【００１９】
また、本明細書が開示するコネクタにおいて、前記雄コネクタは、前記雄端子を保持する雄コネクタハウジングを備えており、前記押圧片は前記雄コネクタハウジングに設けられていてもよい。
【００２０】
上記構成によれば、予め雄コネクタハウジングの所定の位置に押圧片を設けることで、雄端子の挿入時に押圧片の位置合わせを行う必要がなくなり、雄コネクタを雌コネクタに向けて動かすだけで弾性接触片の係止を解除可能となって、作業性が向上する。また、雄端子とともに押圧片を雄コネクタハウジング内に設けることができるため、雄端子や押圧片が他の部材等と干渉する事態が抑制され、変形等による不具合の発生を低減できる。
【００２１】
また、本明細書が開示するコネクタにおいて、前記雄コネクタは、前記雌端子に挿入される側から取り付けられて前記雄端子を固定するリテーナを備えており、前記押圧片は前記リテーナに設けられていてもよい。
【００２２】
上記構成によれば、リテーナを取付けたコネクタにも本技術を適用することができる。
【発明の効果】
【００２３】
本発明によれば、雄端子を雌端子に小さな力で挿入可能なコネクタを提供することができる。
【図面の簡単な説明】
【００２４】
【図１】実施形態１に係るコネクタにおける、雄コネクタと雌コネクタの嵌合前の状態（タブ片が雌端子内に挿入される前の状態）を示す断面図
【図２】雄コネクタと雌コネクタの嵌合操作中の状態（タブ片が雌端子内の接触位置に至る前の状態）を示す断面図
【図３】雄コネクタと雌コネクタとの嵌合後の状態（タブ片が雌端子内の接触位置に至った状態）を示す断面図
【図４】実施形態２に係るコネクタにおける、雄コネクタと雌コネクタの嵌合前の状態を示す断面図
【図５】雄コネクタと雌コネクタの嵌合操作中の状態を示す断面図
【図６】雄コネクタと雌コネクタとの嵌合後の状態を示す断面図
【図７】実施形態３に係るコネクタにおける、雌端子内の接触位置に至ったタブ片と、弾性接触片と、の接触状態を示す部分拡大断面図
【図８】実施形態３に係るコネクタにおける、雄コネクタと雌コネクタの嵌合前の状態を示す断面図
【発明を実施するための形態】
【００２５】
＜実施形態１＞
以下、実施形態１について、図１ないし図３を参照しつつ説明する。
図１に示すように、本実施形態に係るコネクタＣ１は、雄コネクタ１０と、雄コネクタ１０に嵌合される雌コネクタ５０とを備えて構成される。以下の説明では、図１における上側を上（下側を下）、左側を左（右側を右）とし、雄コネクタ１０および雌コネクタ５０の互いに嵌合する側を前（逆側を後）とする。なお、上下左右の方向は説明便宜上のものであって、コネクタＣ１は任意の姿勢で用いることができる。
【００２６】
（雄コネクタ１０）
図１等に表されているように、雄コネクタ１０は、タブ片２１を有する雄端子２０と、押圧片３０を有し、雄端子２０を保持する雄コネクタハウジング１１と、を備える。
【００２７】
雄端子２０は、導電性を有する金属板材をプレス加工することにより形成されており、前後方向に延びる幅広な平板状のタブ片２１を有している。雄端子２０は、図示しない電線等に接続されている。
【００２８】
雄端子２０を保持する雄コネクタハウジング１１は、合成樹脂製で、雄側本体部１３の外周部から、後述する雌コネクタ５０の雌コネクタハウジング５１に外嵌可能なフード部１５が前方に向けて突設された形状をなす。フード部１５の内方において、雄側本体部１３から前方に向かって突出するように、前述の雄端子２０のタブ片２１が保持されている。
【００２９】
雄側本体部１３前面におけるタブ片２１の下側には、タブ片２１と同じく前方に向かって突出するように、押圧片３０が設けられている。本実施形態では、押圧片３０は、雄コネクタハウジング１１と一体成形されている。押圧片３０は、タブ片２１が後述する雌端子６０の所定の接続位置まで挿入されたときに、後述する係止片７０の解除部７３を押圧するような配置および寸法形状とされている。本実施形態では、押圧片３０は、雄側本体部１３前面からの突出長がタブ片２１の突出長よりも短く、厚み寸法がタブ片２１の厚み寸法よりも小さく、突出端が先細り形状となるように設けられている。このように、押圧片３０を、タブ片２１を保持する雄コネクタハウジング１１に一体に設けたことで、雌端子６０に対する押圧片３０の相対配置が規定され、雄コネクタ１０と雌コネクタ５０とを嵌合する際の位置合わせが不要となる。また、タブ片２１および押圧片３０は、フード部１５の内方に収まっているため、他の部材などと干渉する事態が抑制される。
【００３０】
（雌コネクタ５０）
図１等に表されているように、雌コネクタ５０は、雌端子６０と、雌端子６０を保持する雌コネクタハウジング５１と、を備える。
【００３１】
雌端子６０は、導電性を有する金属板材をプレス加工することにより形成されており、雄端子２０のタブ片２１が挿入される接続筒部６９と、接続筒部６９の後方に連なって設けられた図示しない電線接続部と、を備える。雌端子６０は、電線接続部において、電線に対して電気的に接続されている。
【００３２】
接続筒部６９は、略角筒状をなしており、接続筒部６９の内部に、第一接触片６１および第二接触片６３が設けられている。
図１等に表されているように、第二接触片６３は、本実施形態では、接続筒部６９の天面を下方に叩き出すことで形成されている。本実施形態において、第二接触片６３は、基本的には後述するキャビティ５３の上壁に沿ってほぼ固定した位置に維持される、固定接触片である。後述するようにタブ片２１が後述する雌端子６０の所定の接続位置まで挿入された状態において、第二接触片６３下面の一部が、前述のタブ片２１と面接触する。第二接触片６３において、タブ片２１と電気的に接続される部分を、固定接点部６３Ａとする。
【００３３】
同じく図１等に表されているように、第一接触片６１は、第二接触片６３の下方に、第二接触片６３と所定の間隔を空けて対向するように設けられている。本実施形態では、第一接触片６１は、接続筒部６９とは別部材とされ、複数個所において折り曲げられて、弾性変形可能な弾性接触片として形成されている。第一接触片６１は、後述するようにタブ片２１が雌端子６０内に挿入されて所定の接触位置に至った状態において、固定接点部６３Ａに対向する位置で、第二接触片６３に向けて山形に突出するように折り曲げられている。この稜部が、タブ片２１と電気的に接続される可動接点部６１Ａとなる。自然状態では、可動接点部６１Ａと、前述の固定接点部６３Ａとの間隔は、雄端子２０のタブ片２１の厚み寸法よりも小さくなるように設定されている。また、第一接触片６１の前端部は、下側から後方に折り返されて、後述する係止片７０の係止部７１に係止される後向フック状の被係止部６５が形成されている。
【００３４】
図１等に表されているように、接続筒部６９内における第一接触片６１の下方には、係止片７０が形成されている。係止片７０は、本実施形態では、接続筒部６９の底面を折り曲げることにより形成されている。係止片７０の前端部は、上側から斜め上後方に向けて折り返された後に、再び前方に折り曲げられて、先端に前向フック状の係止部７１が形成されている。係止部７１基端の後方に折り返された部分が、前述の押圧片３０の押圧を受ける解除部７３となる。
【００３５】
雌端子６０を保持する雌コネクタハウジング５１は、合成樹脂製で、内部には前後方向に開口する複数のキャビティ５３がされている。雌端子６０は、キャビティ５３の内部に収容されており、キャビティ５３前端の前面開口５５は、雌端子６０の接続筒部６９の前面が露出する程度に開口している。また、キャビティ５３内には雌端子６０を抜け止め係止するランス６７が設けられ、ランス６７と雌端子６０との係止途中においてランス６７が退避可能な撓み空間がランス６７の後方位置（キャビティ５３の天面位置）に形成されている。
【００３６】
（作用）
続いて、本実施形態の作用について説明する。
図１に表されているように、雄コネクタ１０および雌コネクタ５０が嵌合される前は、雌端子６０の第一接触片６１は、被係止部６５が係止片７０の係止部７１に係止されることにより、第二接触片６３から離隔する方向に弾性変形した状態で保持されている。このように、タブ片２１が挿入されて接触位置に至る前の第一接触片６１が係止された状態（初期状態）では、第一接触片６１と第二接触片６３との間隔は、雄端子２０のタブ片２１の厚み寸法よりも大きくなるように設定されている。
両コネクタの嵌合に際しては、雄コネクタ１０と雌コネクタ５０とを向かい合わせに配置し、雄コネクタハウジング１１のフード部１５を雌コネクタハウジング５１に外挿しつつ嵌合させる。これに伴い、図２に表されているように、雄端子２０のタブ片２１が前面開口５５からキャビティ５３内に進入し、雌端子６０の接続筒部６９内に挿入される。ここで、前述のように、第一接触片６１が係止片７０に係止されて、第一接触片６１と第二接触片６３との間隔はタブ片２１の厚み寸法よりも大きく維持されているため、タブ片２１は、第一接触片６１および第二接触片６３にほとんど接触することなく、小さな挿入力で両接触片の間に挿入される。同時に、雄コネクタハウジング１１の雄側本体部１３前面に突設された押圧片３０も前面開口５５からキャビティ５３内に進入し、雌端子６０の係止片７０の解除部７３に向けて接近する。
【００３７】
さらに両コネクタの嵌合が進んで、図３に表されているように、タブ片２１が雌端子６０の所定の接続位置まで挿入されると、押圧片３０が雌端子６０の係止片７０の解除部７３に当接して押圧し、解除部７３が押圧片３０によって押し下げられて、係止部７１が後方に変位する。これにより、第一接触片６１の係止が解除され、第一接触片６１が弾性復元して第一接触片６１全体が上方に変位し、可動接点部６１Ａにおいてタブ片２１に接触する。前述のように、自然状態では、可動接点部６１Ａと、前述の固定接点部６３Ａとの間隔は、雄端子２０のタブ片２１の厚み寸法よりも小さくなるように設定されているため、可動接点部６１Ａは接触圧を有してタブ片２１に接触し、さらにタブ片２１が固定接点部６３Ａに押し付けられて第二接触片６３と接触する。この結果、第一接触片６１および第二接触片６３の双方の接触片が、タブ片２１に電気的に安定に接続される。
【００３８】
本実施形態では、雌コネクタハウジング５１の前端部が雄コネクタハウジング１１の雄側本体部１３の前面に当接するまで挿入されたときにタブ片２１が達する位置を、接続位置としている。換言すれば、雄端子２０が雌端子６０内に完全に挿入され、雄コネクタ１０と雌コネクタ５０とが正規嵌合に至った状態において、タブ片２１が接続位置まで挿入され、係止片７０と第一接触片６１との係止が解除されて、雌端子６０の第一接触片６１および第二接触片６３がタブ片２１に接触する。
【００３９】
（効果）
続いて、本実施形態の効果について説明する。
本実施形態によれば、第一接触片６１が係止片７０に係止されて第一接触片６１と第二接触片６３の間隔が広げられた状態（初期状態）で、タブ片２１がこれらの間に挿入されるため、雄端子２０を挿入する際の操作力を小さくすることができる。タブ片２１が雌端子６０内に挿入されて所定の接触位置に至ると、係止片７０と第一接触片６１との係止が解除されて弾性復元することにより、第一接触片６１および第二接触片６３を所定の接触圧でタブ片２１に接触させることができ、安定した接続が実現される。ここで、第一接触片６１と係止片７０との係止解除動作は、雌端子６０と電気的に接続されるタブ片２１ではなく、押圧片３０によって行われるため、解除動作によるタブ片２１の破損や変形の虞を低減し、接続不良の発生等を抑えることができる。
【００４０】
また、上記実施形態によれば、雄端子２０の挿入時に、第一接触片６１が第二接触片６３との間にタブ片２１の厚み寸法よりも大きな間隔を空けつつ係止されるため、両接触片にほとんど接触させることなく、これらの間にタブ片２１を挿入することが可能となり、雄端子２０を挿入する際の操作力を極めて小さくすることができる。
【００４１】
さらに、上記実施形態によれば、押圧片３０は、係止片７０において第一接触片６１を係止している係止部７１ではなく、これよりも下方の解除部７３を押圧し、間接的に係止部７１と被係止部６５との係止を解除する構成としたため、雄端子２０と電気的に接触される第一接触片６１が押圧片３０と干渉する事態が低減され、解除動作による第一接触片６１の変形等が抑制されて、接続不良の発生等を抑えることができる。
【００４２】
また、上記実施形態によれば、固定接触片である第二接触片６３は、接続筒部６９の天面を叩き出すことにより、また係止片７０は、接続筒部６９の底面を折り曲げることにより、それぞれ形成されている。よって、コネクタＣ１の構成は簡易であり、従来のコネクタと比較して部品点数の大幅な増加等を要するものではない。
【００４３】
さらに、上記実施形態によれば、雄コネクタ１０が、雄端子２０を保持する雄コネクタハウジング１１を備え、この雄コネクタハウジング１１の所定の位置に、所定の寸法形状で押圧片３０が設けられているため、雄端子２０の挿入時に押圧片３０の位置合わせを行う必要がない。すなわち、雄コネクタ１０を雌コネクタ５０に嵌合する一の動作によって、第一接触片６１の係止を解除することができ、作業性に優れている。また、雄端子２０および押圧片３０は、雄コネクタハウジング１１内に設けられているため、雄端子２０や押圧片３０が他の部材等と干渉する事態が抑制される。
【００４４】
＜実施形態２＞
以下、実施形態２について、図４ないし図６を参照しつつ説明する。
本実施形態のコネクタＣ２では、雄コネクタ２１０が、雌端子６０に挿入される側から取り付けられて雄端子２０を固定するリテーナ２１７を備え、このリテーナ２１７に押圧片２３０が設けられている点において、実施形態１のコネクタＣ１とは異なっている。なお、本実施形態を含む実施形態２ないし実施形態４の説明において、実施形態１と同様の部材および構造については同一符号を付して重複する説明を省略し、実施形態１と同様の作用、効果についても、記載を省略する。
【００４５】
本実施形態の雄コネクタハウジング２１１は、フード部２１５の内方において、雄側本体部２１３の前面から前方に向かって突出するように、雄端子２０のタブ片２１を保持している。雄コネクタハウジング２１１は、実施形態１の雄コネクタハウジング１１とは異なり、押圧片３０に相当する構造は備えておらず、雄側本体部２１３の前面から突出しているのは、タブ片２１のみである。
【００４６】
リテーナ２１７は、合成樹脂製であって、雄端子２０が雄コネクタハウジング２１１に挿入された後、フード部２１５の前側の開口から挿入され、雄コネクタハウジング２１１の雄側本体部２１３の前面、すなわちフード部２１５の奥面に取付けられる。リテーナ２１７において、雄側本体部２１３の前面に保持されたタブ片２１に対応する位置には、貫通孔２１９が設けられており、タブ片２１は、貫通孔２１９を貫通してフード部２１５内方に突出した状態で保持される。リテーナ２１７は、後面外周部に設けられた突部を、雄側本体部２１３の対応する位置に形成された溝部内に嵌合させつつ、図示しない固定手段によって雄コネクタハウジング２１１に固定される。
【００４７】
リテーナ２１７の前面における貫通孔２１９の下側には、前方に向かって突出するように、押圧片２３０が設けられている。本実施形態では、押圧片２３０は、リテーナ２１７と一体成形されている。押圧片２３０は、実施形態１の押圧片３０と同様、タブ片２１が雌端子６０の接続位置まで挿入されたときに、後述する係止片７０の解除部７３を押圧するような配置および寸法形状とされている。このように、押圧片２３０を、雄コネクタハウジング２１１内に固定されるリテーナ２１７に一体に設けたことで、雌端子６０に対する押圧片２３０の相対配置が規定され、雄コネクタ２１０と雌コネクタ５０とを嵌合する際の位置合わせが不要となる。また、タブ片２１および押圧片２３０は、フード部２１５の内方に収まるため、他の部材などと干渉する事態が抑制される。
【００４８】
本実施形態によれば、リテーナ２１７が雄コネクタハウジング２１１に固定されていることで、雄端子２０が雄コネクタハウジング２１１に対して抜け止めされる。このようなリテーナ２１７が取付けられたコネクタＣ２にも、上記のように押圧片２３０をリテーナ２１７に設けることで、本技術を適用できる。
【００４９】
＜実施形態３＞
以下、実施形態３について、図７を参照しつつ説明する。
本実施形態のコネクタでは、雄端子３２０のタブ片３２１に凹部３２３が形成されている点において、実施形態１のコネクタＣ１とは異なっている。
【００５０】
本実施形態に係るタブ片３２１には、前記接触位置に至った状態において、第一接触片６１に形成された可動接点部６１Ａに対応する位置に、凹部３２３が形成されている。図７に表されているように、凹部３２３は、第一接触片６１が弾性復元された状態において可動接点部６１Ａが凹部３２３内でタブ片３２１と接触するような寸法形状に形成されている。
【００５１】
本実施形態によれば、接触位置において係止片７０による第一接触片６１の係止が解除されると、第一接触片６１が弾性復元するのに伴って可動接点部６１Ａが変位し、凹部３２３内に嵌り込んだ形でタブ片３２１に接触する。これにより、可動接点部６１Ａの位置ずれ等が防止され、接続安定性に優れたコネクタを得ることができる。
【００５２】
＜実施形態４＞
以下、実施形態４について、図８を参照しつつ説明する。
本実施形態のコネクタＣ４では、雌端子４６０の第二接触片４６３が、第一接触片６１と同様、弾性変形可能な弾性接触片として形成されている。また、雌端子４６０が、第二接触片４６３を弾性変形させつつ係止する第二係止片４７０を有し、雄コネクタ４１０は、第二係止片４７０を押圧して第二接触片４６３の係止を解除する第二押圧片４３０を有している点において、実施形態１のコネクタＣ１とは異なっている。
【００５３】
本実施形態に係る雌コネクタ４５０の雌端子４６０は、接続筒部４６９と電線接続部とを備えており、接続筒部４６９の内部に、第一接触片６１および第二接触片４６３が設けられている（第一接触片６１は、実施形態１の第一接触片６１と同様の部材である）。
【００５４】
本実施形態では、第二接触片４６３も弾性接触片とされる。第二接触片４６３は、第一接触片６１と同じく、接続筒部４６９とは別部材とされ、複数個所において折り曲げられて、第一接触片６１と上下対称をなす弾性変形可能な弾性接触片として形成されている。すなわち、本実施形態に係る雌端子４６０では、２つの前記接触片の双方が、弾性変形可能な弾性接触片とされている。第二接触片４６３は、雄端子２０のタブ片２１が雌端子４６０内に挿入されて接触位置に至った状態において、第一接触片６１の可動接点部６１Ａに対向する位置で第一接触片６１に向けて突出するように折り曲げられ、第二可動接点部４６３Ａが形成されている。自然状態では、この第二可動接点部４６３Ａと、前述の可動接点部６１Ａとの間隔は、雄端子２０のタブ片２１の厚み寸法よりも小さくなるように設定されている。第二接触片４６３の前端部は、上側から後方に折り返されて、後述する第二係止片４７０の係止部４７１に係止される後向フック状の被係止部４６５が形成されている。
【００５５】
本実施形態では、接続筒部４６９内における第二接触片４６３の上方に、第二係止片４７０が形成されている。本実施形態では、第二係止片４７０は、接続筒部４６９の天面を折り曲げることにより、係止部７１および解除部７３を備え、係止片７０と上下対称な形状をなすように、形成されている。
【００５６】
一方、雄コネクタ４１０の雄側本体部４１３前面におけるタブ片２１の上側には、前方に向かって突出する第二押圧片４３０が設けられている。すなわち、本実施形態に係る雄コネクタハウジング４１１の雄側本体部４１３の前面には、タブ片２１を挟んで、上側に第二押圧片４３０が、下側に押圧片３０が、形成されている（タブ片２１および押圧片３０は、実施形態１と同様の部材および構造である）。本実施形態において、第二押圧片４３０は、押圧片３０と同様、雄コネクタハウジング４１１と一体成形されている。第二押圧片４３０は、タブ片２１が雌端子４６０の接続位置まで挿入されたときに、第二係止片４７０の解除部４７３を押圧するような配置および寸法形状とされている。本実施形態では、第二押圧片４３０は押圧片３０と同様の寸法形状に形成されている。
【００５７】
本実施形態によれば、雄コネクタ４１０と雌コネクタ４５０とが嵌合されて、タブ片２１が雌端子４６０に挿入されて接触位置に至ると、押圧片３０が係止片７０の解除部７３に当接して押圧し、第一接触片６１の係止が解除されて弾性復元するのと同時に、第二押圧片４３０が第二係止片４７０の解除部４７３を押圧し、第二接触片４６３の係止が解除されて弾性復元する。この結果、タブ片２１の下側には第一接触片６１が、上側には第二接触片４６３が、それぞれ弾性復元して接触圧を有して接触する。これにより、２つの接触片のうち１つだけが弾性片とされていた実施形態１よりも大きな接触圧で雄端子２０と雌端子４６０とを接触させることができ、コネクタＣ４の接続安定性を一層優れたものとすることができる。また、この際、雄コネクタ４１０を雌コネクタ４５０に嵌合する一の動作によって、第一接触片６１と係止片７０、および第二接触片４６３と第二係止片４７０との係止を同時に解除することができ、作業性に優れている。さらに、第二押圧片４３０は、押圧片３０と同じく、タブ片２１を保持する雄コネクタハウジング４１１に一体に設けられているため、雄コネクタ４１０と雌コネクタ４５０とを嵌合する際の位置合わせを行う必要がない。また、第二押圧片４３０も、タブ片２１および押圧片３０と同じく、フード部１５の内方に収まっているため、他の部材などと干渉する事態が抑制される。
【００５８】
＜他の実施形態＞
本発明は上記記述及び図面によって説明した実施形態に限定されるものではなく、例えば次のような実施形態も本発明の技術的範囲に含まれる。
（１）上記実施形態において、弾性接触片を係止する係止片７０および第二係止片４７０は、雌端子６０，４６０の接続筒部６９，４６９の底面または天面を折り曲げることにより形成したが、このようなものに限定されず、独立した部材であってもよい。雌端子６０，４６０は、接続筒部６９，４６９を備えていないものであってもよい。
（２）第一接触片６１および第二接触片６３，４６３は、他方に向けて突出する接点部を有しないものであってもよい。弾性接触片の可動接点部６１Ａや第二可動接点部４６３Ａは、タブ片２１，３２１と面接触するものであってもよい。
（３）タブ片２１，３２１は、平板状に限定されるものではなく、棒状その他の形状であってもよい。
（４）雄コネクタ１０，２１０，４１０は、雄コネクタハウジング１１，２１１，４１１を備えたものに限定されず、タブ片２１，３２１を含む雄端子２０，３２０、および押圧片３０，４３０は、外部に露出していてもよい。
【符号の説明】
【００５９】
Ｃ１，Ｃ２，Ｃ４…コネクタ
１０，２１０，４１０…雄コネクタ
１１，２１１，４１１…雄コネクタハウジング
２０，３２０…雄端子
２１，３２１…タブ片
３０，２３０…押圧片、４３０…第二押圧片
５０，４５０…雌コネクタ
５１…雌コネクタハウジング
６０，４６０…雌端子
６１…第一接触片（弾性接触片）
６１Ａ…可動接点部
６３…第二接触片（固定接触片）、４６３…第二接触片（弾性接触片）
６３Ａ…固定接点部、４６３Ａ…第二可動接点部
６５，４６５…被係止部
６９，４６９…接続筒部
７０…係止片，４７０…第二係止片
７１，４７１…係止部
７３，４７３…解除部
２１７…リテーナ
３２３…凹部
【図１】
2017112023.tif 000003
【図２】
2017112023.tif 000004
【図３】
2017112023.tif 000005
【図４】
2017112023.tif 000006
【図５】
2017112023.tif 000007
【図６】
2017112023.tif 000008
【図７】
2017112023.tif 000009
【図８】
2017112023.tif 000010